(57)【要約】【課題】ＤＶＤ装置が具備する全ての機能を利用できる通常モードから、どの操作釦が押下されても予め定められた所定の機能のみ動作させる初心者モードへの切替えを可能とすることで、容易にユーザが所望する操作を行うことができるようにする。【解決手段】本体制御部８は、初心者モードのときステップＳ１０１においてリモコン信号受信部７が受信したリモコン信号６の内容に係わらず、リモコン信号受信部７がリモコン信号６を受信したことに応じて再生機能を動作させる（Ｓ１０６）。再生中にリモコン信号受信部７がリモコン信号６を受信したとき（Ｓ１０８でＹｅｓ）、本体制御部８は、停止機能を動作させ再生を停止する（Ｓ１１０）。このとき本体制御部８は、リモコン信号受信部７が受信したリモコン信号６の内容に係わらず、リモコン信号受信部７がリモコン信号６を受信したことに応じて停止機能を動作させる。【選択図】図４
2007042209.tif 000002
【特許請求の範囲】
【請求項１】
ディスク状記憶媒体が記憶する映像を再生する再生機能、前記再生機能が前記映像を再生しているのを停止する停止機能、前記再生機能が前記映像再生する速度より早い速度で前記映像を再生する早送り機能、前記再生機能が前記映像を再生する順序と逆の順序で前記映像を再生する巻戻し機能、及び前記ディスク状記憶媒体に新たに映像を記憶させる録画機能の各動作を制御する本体制御部と、前記ディスク状記憶媒体を本体部に出し入れするためのディスクトレイと、上記複数の操作パネル釦を有した各機能を動作させるためのユーザの操作指令を前記本体制御部に入力するための操作パネルと、前記本体制御部に対してコードレスにてユーザの操作指令を送信するための前記各機能に対応した複数のリモートコントローラ釦を有したリモートコントローラと、を備えたＤＶＤ装置において、
前記ＤＶＤ装置は、再生されている途中の前記ディスク状記憶媒体が停止された後、続けて前記本体制御部が再生機能を動作させる操作指令を受けたとき、該ディスク状記憶媒体の中の停止されたポイントから再生するレジューム機能と、前記操作パネル釦又は前記リモートコントローラ釦がユーザに押下され該本体制御部が操作指令を受けたとき、該本体制御部が受けた操作指令に対応する機能を動作させる通常モードと、前記操作パネル釦又は前記リモートコントローラ釦がユーザに押下され前記本体制御部が操作指令を受けたとき、該本体制御部が受けた操作指令の内容に係わらず前記再生機能又は前記停止機能のいずれか一方を動作させる初心者モードとを備え、
前記ＤＶＤ装置は、常に前記通常モード又は前記初心者モードのどちらか一方に設定され、ユーザが該操作パネル又は該リモートコントローラに対して所定の操作を行うことにより、前記通常モードと前記初心者モードの切替えを行う切替手段を備え、
通常モードが設定されているとき、前記操作パネル釦又は前記リモートコントローラ釦が押下されることで前記各機能を動作させることができ、
前記本体制御部は、前記初心者モードが設定されているとき、前記ディスク状記憶媒体が前記ディスクトレイに格納され前記本体部の内部に存在している状態で、前記操作パネル釦又は前記リモートコントローラ釦の中のいずれかの釦が押下されると、前記再生機能を動作させ、前記再生機能が動作している状態で、該操作パネル釦又は該リモートコントローラ釦の中のいずれかの釦が押下されると、前記停止機能を動作させ、前記停止機能を動作させた後、続けて該操作パネル釦又は該リモートコントローラ釦の中のいずれかの釦が押下されると、前記レジューム機能を動作させ、
初心者モードが設定されているとき、該操作パネル釦又は該リモートコントローラ釦と前記各機能との対応関係を意識することなくディスク状記憶媒体を再生又は停止させることができるようにしたことを特徴とするＤＶＤ装置。
【請求項２】
ディスク状記憶媒体が記憶するデータを再生する再生機能、前記再生機能が前記データを再生しているのを停止する停止機能、前記再生機能が前記データ再生する速度より早い速度で前記データを再生する早送り機能、及び前記再生機能が前記データを再生する順序と逆の順序で前記データを再生する巻戻し機能の各動作を制御する本体制御部と、前記ディスク状記憶媒体を本体部に出し入れするためのディスクトレイと、前記本体制御部に対してコードレスにてユーザの操作指令を送信するための前記各機能に対応した複数のリモートコントローラ釦を有したリモートコントローラと、を備えたＤＶＤ装置において、
前記ＤＶＤ装置は、前記リモートコントローラ釦がユーザに押下され前記本体制御部が操作指令を受けたとき、該本体制御部が受けた操作指令に対応する機能を動作させる通常モードと、前記リモートコントローラ釦がユーザに押下され前記本体制御部が操作指令を受けたとき、該本体制御部が受けた操作指令の内容に係わらず前記再生機能又は前記停止機能のいずれか一方を動作させる初心者モードとを備え、
前記ＤＶＤ装置は、常に前記通常モード又は前記初心者モードのどちらか一方に設定され、ユーザが該リモートコントローラに対して所定の操作を行うことにより、前記通常モードと前記初心者モードの切替えを行う切替手段を備え、
通常モードが設定されているとき、前記リモートコントローラ釦が押下されることで前記各機能を動作させることができ、
前記本体制御部は、前記初心者モードが設定されているとき、前記ディスク状記憶媒体が前記ディスクトレイに格納され前記本体部の内部に存在している状態で、前記リモートコントローラ釦の中のいずれかの釦が押下されると、前記再生機能を動作させ、前記再生機能が動作している状態で、該リモートコントローラ釦の中のいずれかの釦が押下されると、前記停止機能を動作させ、
初心者モードが設定されているとき、該リモートコントローラ釦と前記各機能との対応関係を意識することなくディスク状記憶媒体を再生又は停止させることができるようにしたことを特徴とするＤＶＤ装置。
【請求項３】
前記ＤＶＤ装置は、上記複数の操作パネル釦を有した各機能を動作させるためのユーザの操作指令を前記本体制御部に入力するための操作パネルと、
常に前記通常モード又は前記初心者モードのどちらか一方に設定され、ユーザが前記操作パネル又は前記リモートコントローラに対して所定の操作を行うことにより、該通常モードと該初心者モードの切替えを行う切替手段を備えたことを特徴とする請求項２に記載のＤＶＤ装置。
【発明の詳細な説明】
【技術分野】
【０００１】
本発明は、ディスク状記憶媒体が記憶する映像を記録／再生するＤＶＤ装置に関する。
【背景技術】
【０００２】
従来のＤＶＤ装置としては、ディスク状記憶媒体が記憶する映像を再生する再生機能、再生している映像を早送りする早送り機能、再生している映像を巻戻す巻戻し機能に加えて、ディスク状記憶媒体に新たに映像を記憶させる録画機能を備えるＤＶＤレコーダが知られている。さらには、例えば、ディスク状記憶媒体が記憶する映像の中の予め定められたポイントから再生することができる頭出し機能や、映像の字幕を表示させるか否かを選択することができる字幕表示機能など、さまざまな機能が付加されている。そこで、ユーザからの操作指令を受付ける操作パネル又はリモートコントローラは、ユーザがＤＶＤ装置の具備する多様な機能を動作させるための操作釦が多く設けられている。
【０００３】
このため、ＤＶＤ装置が具備する多様な機能を使いこなせないユーザは、所望する操作を容易に行うことができなかった。そこで、例えば、特許文献１，２に示されるように、ユーザが次に行うことができる操作に応じた操作手段のみを表示させる操作パネルや、ユーザが次に行うことができる操作に応じた操作指令のみを受け付ける操作パネルが知られている。また、特許文献３に示されるように、ユーザが次に行うことができる操作に応じたガイドを表示する操作パネルが知られている。これにより、ユーザは、複雑な操作が要求される操作パネル又はリモートコントローラであっても容易に所望する操作を行うことができる。
【０００４】
しかしながら、特許文献１，２に示される技術においては、ユーザが次に行うことができる操作に対応した操作指令しか受け付けない機能を操作パネルに付加する必要があり、特許文献３示される技術においては、ユーザが次に行うことができる操作に応じた操作説明を表示する機能を操作パネルに付加する必要があった。このため、多様なユーザからの操作指令に細かく対応することができる操作パネル、及び本体制御部が必要となるため、操作パネル、及び本体制御部の構造が複雑になり、製造コストの増加及び製造作業の効率悪化が問題となっていた。
【０００５】
【特許文献１】特開２００２−２４７４６４号公報
【特許文献２】特開２００１−３５６８０５号公報
【特許文献３】特開平０８−０６３３１６号公報
【発明の開示】
【発明が解決しようとする課題】
【０００６】
本発明は、上記従来例の問題を解決するためになされたものであり、ＤＶＤ装置が具備する全ての機能を利用できる通常モードから、操作パネル又はリモートコントローラの中のいずれの操作釦が押下されても予め定められた所定の機能のみ動作させる初心者モードへの切替えを可能とすることで、操作パネル、リモートコントローラ、及び本体制御部を複雑な構成にすることなく、ユーザが容易に所望する操作を行うことができるＤＶＤ装置を提供することを目的とする。
【課題を解決するための手段】
【０００７】
上記目的を達成するために請求項１の発明は、ディスク状記憶媒体が記憶する映像を再生する再生機能、再生機能が映像を再生しているのを停止する停止機能、再生機能が映像再生する速度より早い速度で映像を再生する早送り機能、再生機能が映像を再生する順序と逆の順序で映像を再生する巻戻し機能、及びディスク状記憶媒体に新たに映像を記憶させる録画機能の各動作を制御する本体制御部と、ディスク状記憶媒体を本体部に出し入れするためのディスクトレイと、上記複数の操作パネル釦を有した各機能を動作させるためのユーザの操作指令を本体制御部に入力するための操作パネルと、本体制御部に対してコードレスにてユーザの操作指令を送信するための各機能に対応した複数のリモートコントローラ釦を有したリモートコントローラと、を備えたＤＶＤ装置において、ＤＶＤレコーダは、再生されている途中のディスク状記憶媒体が停止された後、続けて本体制御部が再生機能を動作させる操作指令を受けたとき、ディスク状記憶媒体の中の停止されたポイントから再生するレジューム機能と、操作パネル釦又はリモートコントローラ釦がユーザに押下され本体制御部が操作指令を受けたとき、本体制御部が受けた操作指令に対応する機能を動作させる通常モードと、操作パネル釦又はリモートコントローラ釦がユーザに押下され本体制御部が操作指令を受けたとき、本体制御部が受けた操作指令の内容に係わらず再生機能又は停止機能のいずれか一方を動作させる初心者モードとを備え、ＤＶＤレコーダは、常に通常モード又は初心者モードのどちらか一方に設定され、ユーザが操作パネル又はリモートコントローラに対して所定の操作を行うことにより、通常モードと初心者モードの切替えを行う切替手段を備え、通常モードが設定されているとき、操作パネル釦又はリモートコントローラ釦が押下されることで各機能を動作させることができ、本体制御部は、初心者モードが設定されているとき、ディスク状記憶媒体がディスクトレイに格納され本体部の内部に存在している状態で、操作パネル釦又はリモートコントローラ釦の中のいずれかの釦が押下されると、再生機能を動作させ、再生機能が動作している状態で、操作パネル釦又はリモートコントローラ釦の中のいずれかの釦が押下されると、停止機能を動作させ、停止機能を動作させた後、続けて操作パネル釦又はリモートコントローラ釦の中のいずれかの釦が押下されると、レジューム機能を動作させ、初心者モードが設定されているとき、操作パネル釦又はリモートコントローラ釦と各機能との対応関係を意識することなくディスク状記憶媒体を再生又は停止させることができるようにしたものである。
【０００８】
また、請求項２の発明は、ディスク状記憶媒体が記憶するデータを再生する再生機能、再生機能がデータを再生しているのを停止する停止機能、再生機能がデータ再生する速度より早い速度でデータを再生する早送り機能、再生機能がデータを再生する順序と逆の順序でデータを再生する巻戻し機能、及びディスク状記憶媒体に新たにデータを記憶させる録画機能の各動作を制御する本体制御部と、ディスク状記憶媒体を本体部に出し入れするためのディスクトレイと、本体制御部に対してコードレスにてユーザの操作指令を送信するための各機能に対応した複数のリモートコントローラ釦を有したリモートコントローラと、を備えたＤＶＤ装置において、ＤＶＤプレーヤは、リモートコントローラ釦がユーザに押下され本体制御部が操作指令を受けたとき、本体制御部が受けた操作指令に対応する機能を動作させる通常モードと、リモートコントローラ釦がユーザに押下され本体制御部が操作指令を受けたとき、本体制御部が受けた操作指令の内容に係わらず再生機能又は停止機能のいずれか一方を動作させる初心者モードとを備え、ＤＶＤプレーヤは、常に通常モード又は初心者モードのどちらか一方に設定され、ユーザがリモートコントローラに対して所定の操作を行うことにより、通常モードと初心者モードの切替えを行う切替手段を備え、通常モードが設定されているとき、リモートコントローラ釦が押下されることで各機能を動作させることができ、本体制御部は、初心者モードが設定されているとき、ディスク状記憶媒体がディスクトレイに格納され本体部の内部に存在している状態で、リモートコントローラ釦の中のいずれかの釦が押下されると、再生機能を動作させ、再生機能が動作している状態で、リモートコントローラ釦の中のいずれかの釦が押下されると、停止機能を動作させ、初心者モードが設定されているとき、リモートコントローラ釦と各機能との対応関係を意識することなくディスク状記憶媒体を再生又は停止させることができるようにしたものである。
【０００９】
また、請求項３の発明は、請求項２のＤＶＤ装置において、上記複数の操作パネル釦を有した各機能を動作させるためのユーザの操作指令を本体制御部に入力するための操作パネルと、常に通常モード又は初心者モードのどちらか一方に設定され、ユーザが操作パネル又はリモートコントローラに対して所定の操作を行うことにより、通常モードと初心者モードの切替えを行う切替手段を備えたものである。
【発明の効果】
【００１０】
請求項１の発明によれば、操作パネル又はリモートコントローラに対して所定の操作が行われることにより、通常モードと初心者モードとの切替えが可能となる。ユーザは、通常モードに設定されているときにはＤＶＤ装置が具備する全ての機能を利用することができ、初心者モードに設定されているときには予め定められた機能のみ利用することができる。これにより、初心者モードに設定することで、ＤＶＤ装置の操作に精通しないユーザであっても容易に所望する操作を行うことが可能となる。また、操作パネル、リモートコントローラ、及び本体制御部の構造をさほど複雑にすることなく初心者モード機能を付加することができるため、初心者モード機能の付加による製造コストの増加、及び製造作業の効率悪化を防止することができる。
【００１１】
請求項２の発明によれば、リモートコントローラに対して所定の操作が行われることにより、通常モードと初心者モードとの切替えが可能となる。ユーザは、通常モードに設定されているときにはＤＶＤ装置が具備する全ての機能を利用することができ、初心者モードに設定されているときには予め定められた機能のみ利用することができる。これにより、初心者モードに設定することで、ＤＶＤ装置の操作に精通しないユーザであっても容易に所望する操作を行うことが可能となる。また、リモートコントローラ、及び本体制御部の構造をさほど複雑にすることなく初心者モード機能を付加することができるため、初心者モード機能の付加による製造コストの増加、及び製造作業の効率悪化を防止することができる。
【００１２】
請求項３の発明によれば、操作パネルに対して所定の操作が行われることにより、通常モードと初心者モードとの切替えが可能となる。操作パネル、及び本体制御部の構造をさほど複雑にすることなく初心者モード機能を付加することができるため、初心者モード機能の付加による製造コストの増加、及び製造作業の効率悪化を防止することができる。
【発明を実施するための最良の形態】
【００１３】
以下、本発明の実施形態に係るＤＶＤレコーダについて、図面を参照して説明する。図１は、本発明の実施形態に係るＤＶＤレコーダの概略構成を示す。ＤＶＤレコーダ１は、映像が記憶されたディスク状記憶媒体２を格納するディスクトレイ３と、ユーザからの操作指令を受付ける操作パネル４と、ＤＶＤレコーダ１の本体部から独立してユーザからの操作指令を受付けるリモートコントローラ５（以下、リモコン５という）と、リモコン５から送信されるリモコン信号６を受信するリモコン信号受信部７と、上記各部を制御する本体制御部８とを備える。操作パネル４は、ユーザからの操作指令を受付ける複数の操作パネル釦１１を備える。リモコン５は、ユーザからの操作指令を受付ける複数のリモートコントローラ釦９（以下、リモコン釦９という）と、押下されたリモコン釦９に応じたリモコン信号６を送信するリモコン信号送信部１０と、リモコン５の各部を制御するリモコン制御部１１とを備える。ここで、ディスク状記録媒体２とは、例えばＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ−ＲＷ（Ｄｉｇｉｔａｌ  Ｖｅｒｓａｔｉｌｅ  Ｄｉｓｋ−ＲｅＷｒｉｔａｂｌｅ）などである。
【００１４】
ＤＶＤレコーダ１は、操作モードが常に通常モード又は初心者モードのいずれか一方に設定されている。ここで、通常モードとは、ユーザが操作パネル釦１１又はリモコン釦９のいずれかを押下したとき、本体制御部８が押下された釦に対応する機能を動作させるモードである。一方、初心者モードとは、ユーザが操作パネル釦１１又はリモコン釦９のいずれかを押下したとき、本体制御部８が押下された釦に係わらず、再生機能又は停止機能のいずれか一方を動作させるモードである。
【００１５】
本体制御部８は、操作パネル４又はリモコン５に対して所定の操作が行われることに応じて、通常モードと初心者モードとを相互に切替える。これにより、ユーザは、操作パネル４又はリモコン５に対して所定の操作を行うことで、場合に応じた操作モードを選択することができる。なお、ここで通常モードと初心者モードのモード切替えは、通常モードに設定されたとき、本体制御部８が通常モードとなり、初心者モードに設定されたとき、本体制御部８が初心者モードとなる構造を意味する。すなわち、本体制御部８が初心者モードに切替わると、本体制御部８は、ユーザが押下した操作パネル釦１１又はリモコン釦９に対応する操作指令を受けるが、操作指令の内容に係わらず操作指令を受けたことのみに反応して再生機能又は停止機能のいずれか一方を動作させる。
【００１６】
リモコン制御部１１は、ユーザによりリモコン釦９の中のいずれかの釦が押下されると、押下された釦に応じたリモコン信号６をリモコン送信部１０からリモコン受信部７へ送信する。本体制御部８は、リモコン受信部７が受信したリモコン信号６に応じた機能を動作させる。ここで、リモコン信号６とは、例えば赤外線であり、リモコン信号送信部１０は赤外線を発光し、リモコン信号受信部７は赤外線を受光する。
【００１７】
図２は、同ＤＶＤレコーダのリモコン５の構成を示す。リモコン釦９は、ＤＶＤレコーダ１の電源を投入又は切断する電源釦９ａと、ディスクトレイ３を開閉するディスクトレイ開閉釦９ｂと、時刻設定や録画予約の設定などの各種設定を行うセットアップ釦９ｃと、各種設定を行う際、設定項目の選択や数値を増減させるための十字キー９ｄと、各種設定を行う際、数値を入力するためのテンキー９ｅと、設定した内容を決定する決定釦９ｆと、設定した内容を取消す取消し釦９ｇとを備える。また、ディスク状記憶媒体に記憶された映像を再生する再生釦９ｈと、再生されている映像を早送りする早送り釦９ｉと、再生されている映像を巻戻しする巻戻し釦９ｊと、再生されている映像を静止画の状態で停止させる一時停止釦９ｋと、再生されている映像を停止する停止釦９ｌと、ディスク状記憶媒体に新たに映像を記憶させる録画釦９ｍと、再生されている映像に字幕を表示させるか否かを選択する字幕釦９ｎと、予め定められたディスク状記憶媒体の中のポイントを検索するサーチ釦９ｏとを備える。
【００１８】
リモコン５において、ユーザが通常モードと初心者モードとを切替えるためにリモコン５に対して行う所定の操作とは、例えば、セットアップ釦９ｃを１０秒以上連続して押下することである。通常のリモコン５の操作において、セットアップ釦９ｃが連続して１０秒以上押下されることは無いため、ユーザの操作ミスによってモードが切替えられることが防止される。
【００１９】
図３（ａ），（ｂ）は、同ＤＶＤレコーダのリモコン５の変形例を示す。図３（ａ）は、拡大したリモコン５の一部を示し、図３（ｂ）は、リモコン５の側面を示す。図３（ａ）において、リモコン５は、操作モードを切替るためのスライド式スイッチ１２をリモコン５の側面に備える。スライド式スイッチ１２は、リモコン５の側面の水平方向に対して左右にスライドする摘み部１３と、摘み部１３がリモコン５の側面の水平方向に対して左右にスライドさせられるのをガイドするガイド部１４とを備える。摘み部１３は、ガイド部１４の内部に設けられ、摘み部１３の先端がガイド部１４から外側には突き出さないように形成されている。また、摘み部１３は、先端部分に凹部１５を備える。
【００２０】
図３（ｂ）において、摘み部１３は、通常モード側にセットされている。このとき、本体制御部８は、摘み部１３が通常モード側にセットされていることに対応して通常モードとなっている。ユーザは、通常モードから初心者モードに変更するために摘み部１３を通常モード側から初心者モード側へスライドさせる。このとき、摘み部１３の先端は、ガイド部１４から外側には突き出していないため、ユーザは、摘み部１３の先端に形成された凹部１５に、指の爪やペンの先端などを係合させながら摘み部１３を初心者モード側へスライドさせる。これにより、ユーザは、場合に応じて操作モードを変更することができると共に、摘み部１３は凹部１５に指の爪やペンの先端などが係合されないとスライドさせられないため、通常のリモコン５の操作中に操作モードが切替わることが防止される。なお、摘み部１３が初心者側へスライドさせられると、本体制御部８は、摘み部１３が初心者側へスライドしたことに応じて初心者モードに切替わる。
【００２１】
図４は、同ＤＶＤレコーダの動作フローを示す。ここでは、操作パネル４ではなくリモコン５により操作された動作フローについて説明する。ＤＶＤレコーダ１の電源が投入されているとき、本体制御部８は、リモコン信号受信部７がリモコン信号６を受信したか否かを判断する（Ｓ１０１）。リモコン信号受信部７がリモコン信号６を受信していないとき（Ｓ１０１でＮｏ）、本体制御部８は、再びリモコン信号受信部７がリモコン信号６を受信したか否かを判断する。リモコン信号受信部７がリモコン信号６を受信したとき（Ｓ１０１でＹｅｓ）、本体制御部８は、本体制御部８自体の操作モードが初心者モードか否かを判断する（Ｓ１０２）。操作モードが初心者モードでないとき（Ｓ１０２でＮｏ）、本体制御部８は、通常モードでありリモコン信号受信部７が受信したリモコン信号６の内容に応じた機能を動作させる（Ｓ１１３）。
【００２２】
本体制御部８は、操作モードが初心者モードのとき（Ｓ１０２でＹｅｓ）、ディスクトレイ３が閉じられているか否かを判断する（Ｓ１０３）。ディスクトレイ３が閉じられていないとき（Ｓ１０３でＮｏ）、本体制御部８は、再びディスクトレイ３が閉じられているか否かを判断する。ディスクトレイ３が閉じられているとき（Ｓ１０３でＹｅｓ）、本体制御部８は、ディスク状記憶媒体２がディスクトレイ３に格納されＤＶＤレコーダ１の本体に内在しているか否かを判断する（Ｓ１０４）。ディスク状記憶媒体２がディスクトレイ３に格納されていないとき（Ｓ１０４でＮｏ）、本体制御部８は、ユーザによりディスクトレイ３にディスク状記憶媒体２が格納されるためにディスクトレイ３を開く（Ｓ１１２）。
【００２３】
ディスク状記憶媒体２がディスクトレイ３に格納されているとき（Ｓ１０４でＹｅｓ）、本体制御部８は、ディスク状記憶媒体２が記憶する映像の最初から再生される場合か、又は途中から再生される場合かを判断する（Ｓ１０５）。ここで、ディスク状記憶媒体２が記憶する映像の最初から再生される場合とは、新たにディスク状記憶媒体２がディスクトレイ３に格納されたときであり、また、ディスク状記憶媒体２が記憶する映像の途中から再生される場合とは、ディスク状記憶媒体２が再生されている途中に停止された後、ディスク状記憶媒体２がＤＶＤレコーダ１の本体部に内在したままの状態のときである。このように、本体制御部８は、ディスク状記憶媒体２が記憶する映像の最初から再生されるのか、又は途中から再生されるのかを判断することにより、レジューム機能を動作させることが可能となる。
【００２４】
本体制御部８は、ディスク状記憶媒体２が記憶する映像の最初から再生される場合であると判断すると（Ｓ１０５でＹｅｓ）、再生機能を動作させて映像の最初から再生を開始する（Ｓ１０６）。一方、ディスク状記憶媒体２が記憶する映像の途中から再生される場合であると判断すると（Ｓ１０５でＮｏ）、レジューム機能を動作させてディスク状記憶媒体が再生されている途中に停止されたポイントから再生を開始する（Ｓ１０７）。ここで、本体制御部８は、操作モードが初心者モードであるためステップＳ１０１においてリモコン信号受信部７が受信したリモコン信号６の内容に係わらず、リモコン信号受信部７がリモコン信号６を受信したことに応じて再生機能又はレジューム機能を動作させる。すなわち、ユーザによってリモコン釦９の中のいずれの釦が押下されても再生されることになる。例えば、再生釦９ｈが押下されたとき再生されるのはもちろんであるが、早送り釦９ｉやテンキー９ｅなどが押下されても再生される。
【００２５】
本体制御部８は、リモコン信号受信部７がリモコン信号６を受信したか否かを判断する（Ｓ１０８）。リモコン信号受信部７がリモコン信号６を受信したとき（Ｓ１０８でＹｅｓ）、本体制御部８は、停止機能を動作させ再生を停止する（Ｓ１１０）。ここで、本体制御部８は、リモコン信号受信部７が受信したリモコン信号６の内容に係わらず、リモコン信号受信部７がリモコン信号６を受信したことに応じて停止機能を動作させる。すなわち、ユーザによってリモコン釦９の中のいずれの釦が押下されても停止されることになる。例えば、停止釦９ｌが押下されたとき停止されるのはもちろんであるが、早送り釦９ｉやテンキー９ｅなどが押下されても停止される。
【００２６】
リモコン信号受信部７がリモコン信号６を受信していないとき（Ｓ１０８でＮｏ）、本体制御部８は、ディスク状記憶媒体２が記憶する映像が最後まで再生され再生が完了したか否かを判断する（Ｓ１０９）。ディスク状記憶媒体２が最後まで再生されていないとき（Ｓ１０９でＮｏ）、本体制御部８は、リモコン信号受信部７がリモコン信号６を受信したか否かを判断する処理に戻る（Ｓ１０８）。ディスク状記憶媒体２が最後まで再生されたとき（Ｓ１０９でＹｅｓ）、本体制御部８は、停止機能を動作させ再生を停止する（Ｓ１１１）。ディスク状記憶媒体２が記憶する映像が最後まで再生されて再生が完了したため、本体制御部８は、ディスクトレイ３に格納されたディスク状記憶媒体２を取出すために、ディスクトレイ３を開く（Ｓ１１２）。上記の処理が行われると、本体制御部８は、ステップＳ１０１のリモコン信号受信部７がリモコン信号６を受信したか否かを判断する処理に戻る（Ｓ１０４）。
【００２７】
これにより、ユーザは、本体制御部８の操作モードが初心者モードに設定されているとき、リモコン釦９とＤＶＤレコーダ１が具備する各機能との対応を意識する必要がなく、リモコン釦９のいずれの釦を押下してもディスク状記憶媒体３が記憶する映像を再生、又は停止することができる。
【００２８】
次に、上記実施形態のＤＶＤレコーダの変形例について説明する。ユーザが操作モードを初心者モードに切替えるために、リモコン５に対して所定の操作、例えばセットアップ釦９ｃを連続して１０秒以上押下し、又は摘み部１３を初心者モード側へスライドさせたとき、リモコン制御部１１は、初心者モードに切替えられたことを認識する。これにより、リモコン制御部１１は、ユーザがリモコン釦９のいずれの釦を押下しても、押下された釦の種類に係わらず、初心者モードであることを示すリモコン信号６をリモコン信号送信部１０からリモコン信号受信部７へ送信する。
【００２９】
本体制御部８は、リモコン信号受信部７が、初心者モードであることを示すリモコン信号６を受信したことに応じて、図４に示す操作モードが初心者モードであるときの処理を実行する。これにより、本体制御部８は、各機能に対応したリモコン信号６以外に、初心者モードであることを示すリモコン信号６を認識して処理する機能のみを備えればよいため、本体制御部８の構造を複雑にすることなく通常モード及び初心者モードに応じた処理を行うことができる。
【００３０】
以上のように本発明の実施形態のＤＶＤレコーダ１においては、操作パネル又はリモートコントローラに対して所定の操作が行われることにより、容易に通常モードと初心者モードとの切替えが行われる。ユーザは、初心者モードに設定されているとき、リモコン釦９とＤＶＤレコーダ１が具備する各機能との対応を意識する必要がなく、リモコン釦９のいずれの釦を押下してもディスク状記憶媒体３が記憶する映像を再生、又は停止することができる。また、操作パネル、リモートコントローラ、及び本体制御部の構造をさほど複雑にすることなく初心者モード機能を付加することができるため、初心者モード機能の付加による製造コストの増加、及び製造作業の効率悪化を防止することができる。
【００３１】
なお、本発明は、上記実施形態の構成に限られず、種々の変形が可能であり、例えば、ＤＶＤレコーダでなくＤＶＤプレーヤに実施してもよく、また、リモコン釦９は上記各釦に限られず他の機能に対応した釦をさらに備えた構成であってもよい。また、初心者モードに設定されているときには、レジューム機能が動作しない構成であっても構わない。
【図面の簡単な説明】
【００３２】
【図１】本発明の実施形態に係るＤＶＤレコーダの概略を示す構成図。
【図２】同ＤＶＤレコーダのリモコン５の構成を示す説明図。
【図３】（ａ），（ｂ）はそれぞれ同ＤＶＤレコーダのリモコン５の構成を示す説明図。
【図４】同ＤＶＤレコーダの動作フロー。
【符号の説明】
【００３３】
１  ＤＶＤレコーダ
２  ディスク状記憶媒体
３  ディスクトレイ
４  操作パネル
５  リモートコントローラ（リモコン）
８  本体制御部
９  リモートコントローラ釦（リモコン釦）
１１  操作パネル釦
【図１】
2007042209.tif 000003
【図２】
2007042209.tif 000004
【図３】
2007042209.tif 000005
【図４】
2007042209.tif 000006